(57)【要約】  本発明は、無線通信ネットワークにおける再送に関連する制御情報のシグナリングに関係する。本発明の一つの態様に従えば、無線通信リンクを介した送信を制御する方法が提供される。その方法は、移動局におけるＨＡＲＱ再送プロセスがアクティブにされるべきか、非アクティブにされるべきかを、送信リソース制御チャネルにおいて指示する段階を含む。【選択図】図３
2008535303.tif 000002
【特許請求の範囲】
【請求項１】
無線通信リンクを介した送信を制御する方法であって、再送プロセスがアクティブにされるべきか、非アクティブにされるべきかを、送信リソース制御チャネルにおいて指示する段階を含む方法。
【請求項２】
前記送信リソース制御チャネルはエンハンスト絶対グラントチャネル（Ｅ−ＡＧＣＨチャネル）である請求項１に記載の方法。
【請求項３】
対応する再送プロセスは、その再送プロセスが非アクティブである場合、アクティブにされるべきであり、その再送プロセスがアクティブである場合、非アクティブにされるべきであることを、送信リソース制御チャネルにおいて送信されるビットが指示する請求項１に記載の方法。
【請求項４】
送信リソース制御チャネルにおいて送信されるビットは、送信リソース制御チャネルにおける他のビットの所定のグループが送信リソースグラントを示すか否か、または、送信リソース制御チャネルにおける他のビットの所定のグループが再送プロセスアクチベーションコマンドを搬送するか否か、を示す請求項１に記載の方法。
【請求項５】
送信リソース制御チャネルにおいて送信されるビットのグループは再送プロセスが状態を変更するべきであることを指示する請求項１に記載の方法。
【請求項６】
送信リソース制御チャネルにおいて送信されるビットのグループは、再送プロセス状態または特定の再送プロセスのための状態変化及び再送プロセス状態、または他の再送プロセスのための状態変化を指示する請求項１に記載の方法。
【請求項７】
前記指示する段階は、無線ネットワークノードにおいて実行される請求項１に記載の方法。
【請求項８】
無線通信ネットワークのための移動局であって、
送信リソース制御チャネルを受信するための受信器と、
送信リソース制御チャネルから再送プロセス制御情報を受信するための手段と、
制御情報を受信するための前記手段によって受信される再送プロセス制御情報への応答として再送プロセスをアクティブにし、また、非アクティブにするための制御装置と、を備える移動局。
【請求項９】
前記送信リソース制御チャネルは、エンハンスト絶対グラントチャネル（Ｅ−ＡＧＣＨチャネル）である請求項８に記載の移動局。
【請求項１０】
無線通信ネットワークのためのネットワークノードであって、
送信リソース制御チャネルを移動局に送信するための送信器と、
送信リソース制御チャネルにおいて送信されるデータフレームに再送プロセス制御情報を組み込ませるための手段と、を備えるネットワークノード。
【請求項１１】
前記送信リソース制御チャネルは、エンハンスト絶対グラントチャネル（Ｅ−ＡＧＣＨ）である請求項１０に記載のネットワークノード。
【請求項１２】
前記ネットワークノードは、ノードＢネットワークノードである請求項１０に記載のネットワークノード。
【請求項１３】
前記ネットワークノードは、基地局である請求項１０に記載のネットワークノード。
【請求項１４】
無線通信ネットワークのための移動局であって、
送信リソース制御チャネルを受信するための受信器と、
送信リソース制御チャネルから再送プロセス制御情報を受信するための再送プロセス制御情報受信器と、
制御情報を受信するための前記手段によって受信される再送プロセス制御情報への応答として再送プロセスをアクティブにし、また、非アクティブにするための制御装置と、を備える移動局。
【請求項１５】
前記送信リソース制御チャネルは、エンハンスト絶対グラントチャネル（Ｅ−ＡＧＣＨチャネル）である請求項１４に記載の移動局。
【請求項１６】
無線通信ネットワークのためのネットワークノードであって、
送信リソース制御チャネルを移動局に送信するための送信器と、
送信リソース制御チャネルにおいて送信されるデータフレームにおいて再送プロセス制御情報を組み込むためのプロセッサと、を備えるネットワークノード。
【請求項１７】
前記送信リソース制御チャネルは、エンハンスト絶対グラントチャネル（Ｅ−ＡＧＣＨチャネル）である請求項１６に記載のネットワークノード。
【請求項１８】
前記ネットワークノードは、ノードＢネットワークノードである請求項１６に記載のネットワークノード。
【請求項１９】
前記ネットワークノードは、基地局である請求項１６に記載のネットワークノード。
【発明の詳細な説明】
【技術分野】
【０００１】
本発明は、無線通信ネットワークにおける再送に関する制御情報のシグナリングに関連する。
【背景技術】
【０００２】
アクロニム（Ａｃｒｏｎｙｍｓ）一覧表
2008535303.tif 000003
【０００３】
通信システムは、ユーザ端末装置、及び／またはネットワークエンティティのような２つあるいはそれより多いエンティティとその他の通信システムに関わるノード間における通信を可能にする設備である。通信は、例えば、音声、電子メール（ｅメール）、テキストメッセージ、データ及びマルチメディアなどの通信を含む。
【０００４】
通信は固定回線及び／または無線通信インタフェースによって提供されうる。無線通信システムの特徴はそれらのユーザに移動性を提供することである。無線通信を提供する通信システムに関する一例は公衆陸上移動網（ＰＬＭＮ）である。固定回線システムに関する一例は公衆交換電話網（ＰＳＴＮ）である。
【０００５】
セルラー通信システムは、無線アクセスエンティティ、及び／または、無線サービスエリアの使用に基づく通信システムである。アクセスエンティティとは、通常は携帯電話といわれている。セルラー通信標準規格は例えばＧＳＭ（汎欧州ディジタル移動電話方式）、ＧＰＲＳ（汎用パケット無線サービス）、ＡＭＰＳ（米国アナログ携帯電話方式）、ＤＡＭＰＳ（ディジタルＡＭＰＳ）、ＷＣＤＭＡ（広帯域符号分割多重アクセス）、ＵＭＴＳ（ユニバーサル移動電話システム）、ＣＤＭＡ ２０００（符号分割多重アクセス２０００）のような規格を含む。
【０００６】
通信システムは、システムの様々な要素がどのような動作を許可されているか及びそれがどのように達成されるべきかについて詳細に記述する所与の標準規格、あるいは仕様に従って、通常動作する。例えば、仕様規格は、ユーザ、あるいはより正確にはユーザ装置に、パケット交換サービスの回線交換サービス、または両方のサービスが提供されるかを定義するかもしれない。通信プロトコル及び／または接続に使用されるパラメータもまた一般的に定義される。例えば、通信がユーザ装置と通信ネットワークの要素との間で実行されるものとする方法は通常は事前に定義された通信プロトコルに基づいている。言い換えれば、通信が基づく一連の特有な「規則」はユーザ装置が通信システムを介して通信することができるように定義される必要がある。
【０００７】
本特許出願書類を書いている時点で、アップリンクＤＣＨの強化（エンハンストＤＣＨ、ＥＤＣＨ）は３ＧＧＰ規格のリリース６におけるパケットデータ通信において標準化されている。いくつかの関連した３ＧＰＰ規格は少なくとも３ＧＰＰ ＴＲ ２５．８９６、３ＧＰＰ ＴＲ ２５．８０８、及び３ＧＰＰ ＴＳ ２５．３０９である。（しかしこれらに限らない）。
【０００８】
バースト的な非リアルタイムトラフィックのＲＮＣにおけるレイヤ３機構より高速なスケジューリングを促進させるためのパケットスケジューラ機能のいくらかをノードＢネットワークノードへ分散させることで、現在議論されている規格バージョンに従って強化は達成される。この着想は、より高速なリンクアダプテーションを用いて、アップリンク電力リソースをパケットデータユーザ間においてより効率的に共有することを可能とする、というものである。パケットが１人のユーザから送信された後は、スケジュールされたリソースはもう１人のユーザに直ちに利用可能とすることができる。高データレートが、バースト的な高データレートアプリケーションを動作させているユーザに割り当てられているときに、これは、ノイズ上昇（ｎｏｉｓｅ ｒａｉｓｅ）の尖頂のある変化を避ける。
【０００９】
現在特定されているアーキテクチャにおいては、パケットスケジューラはＲＮＣに配置され、従って、ＲＮＣとＵＥ間のＲＲＣシグナルインタフェースにおける帯域幅と遅延制限に起因して、瞬時のトラフィックに適応させるその能力が制限される。そのため、変動に適応するために、パケットスケジューラは、後続のスケジュール期間における非アクティブユーザからの影響を配慮するために、アップリンク電力の割り当てにおいて保守的でなければならない。解決策は、結局、高い割り当てデータレート及び長い開放タイマ値のために周波数効率が悪いことが明らかとなる。
【００１０】
ＥＤＣＨの現在の仕様においては、多くのパケットスケジューラ機能がノードＢに移され、すなわち、アップリンクリソースの割り当てを司るノードＢスケジューラが存在する。データ送信のために、ＵＥの最大送信電力および最大割り当て電力に対する制約を条件として、そのＲＬＣバッファにおいて送信されるべきデータ量に適合するＥ−ＴＦＣをＵＥが選択する。必要であれば、アップリンクにおいてレート要求メッセージを送信することにより、ＵＥはより高いビットレートを要求することができ、そして、ノードＢは、ダウンリンクにおいてレートグラント（Ｇｒａｎｔ）メッセージを用いて応答することで、追加リソースを付与するか否かを決定する。グラントメッセージは、相対的グラント（ＲＧ）と絶対的グラント（ＡＧ）の２種類がある。相対的グラントは、ＵＥによって使用される実際のリソースに関係する。絶対的グラントは電力の点において絶対的な方法でＵＥにリソースを割り当てる。ＡＧまたはＲＧを使用してＵＥに割り当てられるリソースを調整することは、完全にネットワークにおいてなされる決定を条件としている。ＡＧ及びＲＧメッセージは、この目的のための特有の物理チャネル、すなわち、Ｅ−ＡＧＣＨ及びＥ−ＲＧＣＨ、を用いてダウンリンクにおいて送信される。
【００１１】
また、現在のＥＤＣＨ仕様は、ダウンリンクのためのＨＳＤＰＡにおけるものと同様のアップリンクにおけるＵＥとノードＢとの間のＬ１／ＭＡＣレイヤＨＡＲＱ再送機構を提示する。高速ＨＡＲＱはＮプロセスＳＡＷ（Ｓｔｏｐ−Ａｎｄ−Ｗａｉｔ）ＨＡＲＱに基づくものであり、そこではＨＡＲＱ合成はノードＢ Ｌ１（レイヤ１）において実行される。２ｍｓＴＴＩ（送信時間間隔）のために、８ＳＡＷ ＨＡＲＱプロセスが現在の標準規格バージョンにおいて定義され、１０ｍｓＴＴＩのために、４プロセスが現在の標準規格バージョンにおいて定義されている。
【００１２】
ある現在の提案によれば、各ＨＡＲＱプロセスは、２ｍｓＴＴＩのために独立にスケジュールされるべきである。ＤＬ（ダウンリンク）とＵＬ(アップリンク)との固定されたタイミング関係が存在し、それは、図１に示すようにどのＨＡＲＱプロセスに受信されたＡＧまたはＲＧコマンド（ＡＧ／ＲＧ）が適用されるかを示す。受信された各ＡＧまたはＲＧコマンドのために、既知のタイミング関係によってＵＥはどのＨＡＲＱプロセスにそれが適用されるかを正確に知る。
【発明の開示】
【発明が解決しようとする課題】
【００１３】
これらの提案は幾つかの問題を有している。例えば、各ＨＡＲＱプロセスをスケジューリングすることは、独立に多くのシグナリングを要求し、よりシグナリングエラーの影響を受けやすくなると考えられる。
【００１４】
レイヤ３において定義される８ビットプロセス割り当てストリング（ｓｔｒｉｎｇ）が提案されており、各ビットは、ＵＥがその特定のＨＡＲＱプロセスにアップリンクにおいて送信することが許可されているか否かを示す。この既知の提案は、スケジューリングコマンドが全てのアクティブなＨＡＲＱ再送プロセスに適用可能であると考えることを可能とし、それによって、シグナリングの要求される量およびシグナリングエラーの影響を削減し、そしてさらに、どのＨＡＲＱ再送プロセスが送信することが許可されるかを制御するネットワークのための手段を備える。しかし、レイヤ３シグナリングは高速なアクチベーション（ａｃｔｉｖａｔｉｏｎ）を可能とするためには遅すぎる。その傍らで、ノードＢスケジューラは、ノードＢにおけるレイヤ２に配置される。スケジューリング問題のためのＲＮＣにおけるレイヤ３との対話（ｉｎｔｅｒａｃｔｉｏｎ）は最適ではない。
【課題を解決するための手段】
【００１５】
本発明の実施形態は、一つまたは複数の上記課題を解決することを目的とする。
【００１６】
本発明の第１の態様に従えば、無線通信リンクを介した送信を制御する方法が提供される。その方法は、送信リソース制御チャネルにおいて、再送プロセスがアクティブにされるべきか非アクティブにされるべきかを指示する段階を備える。
【００１７】
送信リソース制御チャネルはＥ−ＡＧＣＨチャネルとすることができる。
【００１８】
その方法においては、送信リソース制御チャネルにおいて送信されるビットは、対応する再送プロセスが、そのプロセスが非アクティブである場合、アクティブにされるべきであることを示し、そのプロセスがアクティブである場合、非アクティブにされるべきであることを示す。
【００１９】
その方法においては、送信リソース制御チャネルにおいて送信されるビットは、送信リソース制御チャネルにおける他のビットの所定のグループが送信リソースグラントを示すか否か、または、送信リソース制御チャネルにおける他のビットの所定のグループが再送プロセスアクチベーションコマンドを搬送するか否かを示すことができる。
【００２０】
その方法においては、送信リソース制御チャネルにおいて送信されるビットのグループが、再送プロセスが状態を変更すべきであることを示すことができる。
【００２１】
その方法においては、送信リソース制御チャネルにおいて送信されるビットのグループが、再送プロセス状態または特定の再送プロセスの状態変更及び再送プロセス状態またはその他の再送プロセスのための状態変更を示すことができる。
【００２２】
指示する段階は、ノードＢや基地局のような無線ネットワークノードによって実行されうる。
【００２３】
本発明のもう一つの態様に従えば、無線通信ネットワークのための移動局が提供される。その移動局は、送信リソース制御チャネルを受信する受信器と、送信リソース制御チャネルから再送プロセス制御情報を受信するための手段と、制御情報を受信するための手段によって受信される再送プロセス制御情報への応答として、再送プロセスをアクティブにし、また、非アクティブにするための制御要素を備える。送信ソース制御チャネルはＥ−ＡＧＣＨチャネルとすることができる。
【００２４】
本発明の更なる態様に従えば、無線通信ネットワークのためのネットワークノードが提供される。そのネットワークノードは、送信リソース制御チャネルを移動局に送信するための送信器と、送信リソース制御チャネルにおいて送信されるデータフレームに再送プロセス制御情報を組み込むための手段とを備える。
【００２５】
そのネットワークノードはノードＢネットワークノードとすることができる。
【００２６】
そのネットワークノードは基地局とすることができる。
【発明を実施するための最良の形態】
【００２７】
本発明の実施形態が、以下添付図面を参照しつつ例示することにより詳述される。
【００２８】
図２は、本発明の一実施形態に従った、移動局２０及び無線通信システム１１０のネットワークノード１００を示す。
【００２９】
移動局は、例えばディスプレイ及びキーボードとすることができるユーザインタフェース２１０と、プロセッサ２２０、送信リソース制御チャネルを受信するための受信器２３０、送信リソース制御チャネルからの再送プロセス制御情報を受信するための手段２４０、及び制御情報を受信するための手段によって受信された再送プロセス制御情報に対する応答として再送プロセスをアクティブにし、また、非アクティブにするための制御装置２５０とを備える。様々な要素が移動局のプロセッサ２２０において実行されるソフトウェアプログラムコードを用いることで実装されうる。例えば、送信リソース制御情報チャネルの到来データフローから再送プロセス制御情報を取り出すように構成されたソフトウェアプログラムとして、再送プロセス制御情報を受信するための手段２４０が実装されうる。
【００３０】
送信リソース制御チャネルは、例えばＥ−ＡＧＣＨチャネルとすることができる。
【００３１】
ネットワークノード１００は、移動局へ送信リソース制御チャネルを送信するための送信器１１０と、送信リソース制御チャネルにおいて送信されるデータフレームに再送プロセス制御情報を組み込むための手段１２０とを備える。
【００３２】
ネットワークノードは、例えば、ノードＢネットワークノードとすることができる。本発明の一形態が実施されうる特定の無線ネットワークがノードＢの概念を有していない場合、そのネットワークノードは基地局とすることができる。
【００３３】
本発明の根底にある基本的な着想は、シグナリングチャネルとして送信リソース制御チャネルを用いることで、ＨＡＲＱ再送プロセスアクティベーションのためのレイヤ１機構を使用することである。送信リソース制御チャネルは、有利にＥ−ＡＧＣＨチャネルまたは例えばＥ−ＲＧＣＨチャネルとすることができる。
【００３４】
本発明の一実施形態に従えば、送信リソース制御チャネルにおけるいくらかのビットが、一つまたはそれより多いＨＡＲＱプロセスがアクティブにされるかまたは非アクティブにされるべきであるか否かをシグナリングするために使用される。
【００３５】
本発明の一つの実施形態においては、送信リソース制御チャネルにおいて送信されるビットは、特定のＨＡＲＱプロセスがアクティブにされるかまたは非アクティブにされるべきかをＵＥ（移動局）に示すために使用される。この実施形態は、ＵＬとＤＬとのよく定義されたタイミング関係に依存する。それは、ＵＥが、送信リソース制御チャネルにおいて送信される指示ビットを特定のＨＡＲＱプロセスに関係付けることを可能とする。その結果、プロセス毎に一ビットが、特定のＨＡＲＱプロセスがアクティブにされるかまたは非アクティブにされるべきかを通知するために、送信リソース制御チャネルにおいて要求される。
【００３６】
図３は本発明の好適な実施形態におけるシグナリングを示す。図３は、ノードＢネットワークノード１００と移動局（ＵＥ）２０との間のシグナリングを示す。ステップ３０５において、ノードＢは、特定のＨＡＲＱプロセスが状態を変更するべきであることの指示子を送信する。ステップ３１０において、ＵＥは状態を変更する、すなわち、ＨＡＲＱプロセスをアクティブにするか、または、非アクティブにする。
【００３７】
更なる実施形態において、送信リソース制御チャネルにおけるある１ビットは所定数の送信リソース制御チャネルにおける他のビットがどのように解釈されるべきかを示す。例えば、その特定のビットが一つの値（０のような）に設定される場合、送信リソース制御チャネルの関係するビットは、絶対（又は相対）送信リソースグラントを特定することに関連するそれらの先行技術の意味を有する。その特定のビットがその他の値（１のような）に設定される場合、送信リソース制御チャネルの関係するビットは、例えば、対応する多くのＨＡＲＱプロセスのそれぞれがアクティブにされるかまたは非アクティブにされるべきかのＨＡＲＱ再送プロセスアクチベーションコマンドを搬送する。
【００３８】
図４は、本発明の好適な実施形態におけるシグナリング及びＨＡＲＱプロセス制御を示す。ステップ４０５においてノードＢは、制御ビット及びビット列をＥ−ＡＧＣＨチャネルにおいて送信する。ステップ４１０において、移動局（ＵＥ）は制御ビットが１に設定されるか否かを決定する。制御ビットが１に設定された場合、移動局は受信されたビット列をＨＡＲＱプロセス制御コマンドとして解釈し、少なくとも一つのＨＡＲＱプロセスをステップ４１５において、それに従って調整する。制御ビットが０に設定された場合、移動局は受信されたビット列を送信リソースグラントとして解釈し、そして、その送信をステップ４２０において、それに従って調整する。さらなる本発明の実施形態においては、送信リソース制御チャネルにおけるビットのグループは、どのＨＡＲＱプロセスが状態を変更するべきかを示すために使用される。８ＨＡＲＱ再送プロセスを有するシステムにおいては、対応するＨＡＲＱプロセスがその状態を切り換える（ｔｏｇｇｌｅ）べきかを示すために、送信リソース制御チャネルにおいて３ビットが使用されうる。それがアクティブにされていれば、それは非アクティブにされるべきであり、それが非アクティブにされていれば、それはアクティブにされるべきである。
【００３９】
本発明の更なる実施形態に従えば、送信リソース制御チャネルにおけるビットのグループは、特定のＨＡＲＱプロセスがアクティブにされるべきか非アクティブにされるべきか、及び／または、すべての他のＨＡＲＱプロセスは非アクティブにされるべきかアクティブにされるべきかに関連する指定された意味を有する。例えば、２ビットからなるグループは以下のことを指定しうる。
【００４０】
ビット１  ビット２  意味
０        ０        すべてのプロセスをアクティブにする
０        １        すべてのプロセスをアクティブにする
１        ０        このプロセスを非アクティブにする
１        １        このプロセスをアクティブにする
【００４１】
ビットのグループの意味は多くの異なる方法で指定することができる。例えば、もう一つの実施形態において、２ビットからなるグループは以下のことを指定することができる。
【００４２】
ビット１  ビット２  意味
０        ０        すべてのプロセスをアクティブにする
０        １        このプロセスをアクティブにし、すべての他のプロセスを非アクティブにする
１        ０        このプロセスをアクティブにする
１        １        このプロセスを非アクティブにする
【００４３】
さらなる実施形態においては、送信リソース制御チャネルにおいて送信されるいくらかのビットは、ＡＧ及び／またはＲＧコマンドが単一のＨＡＲＱプロセスに関連するか、すべてのＨＡＲＱプロセスに関連するかを示すことができる。例えば、一つまたはそれより多いＨＡＲＱプロセスのアクティビティ状態を特定するビットのあるグループの値は、引き続くＡＧ及び／またはＲＧコマンドがすべてのアクティブなＨＡＲＱプロセスに適用されることを示すかもしれない。
【００４４】
本発明はいくつかの有利な点を有する。例えば、本発明は、ノードＢがＨＡＲＱプロセスのアクチベーションを制御することを可能とすることにより、ＨＡＲＱプロセスの高速なアクチベーションを可能とする。ノードＢスケジューラもまた、現在の３ＧＰＰ標準規格バージョンに従いノードＢに配置されているので、これは送信リソースの需要における変化に高速に適応することを可能とする。
【００４５】
本明細書において記述するように、ＨＡＲＱ再送プロセスを制御するためのシグナリングビットは、送信リソース制御チャネルにおける他のメッセージのなかで、多くの異なる方法において、符号化され、送信リソース制御チャネルにおいてシグナリングされることが可能である。それらのビットを符号化しシグナリングすることは、当業者によって考えられうるものであり、本発明は、そういったビットを搬送するためのいかなる特定のメッセージ構成にも限定されるものではない。本発明はまた、前述したように、送信リソース制御チャネルにおける送信制御情報を受信し、受信された送信制御情報に基づき、ＨＡＲＱ再送プロセスを制御する機能を有する移動局（ＵＥ）を提供する。
【００４６】
本発明はまた、送信リソース制御チャネル内の送信制御情報を送信することで、移動局（ＵＥ）におけるアップリンクＨＡＲＱ再送プロセスを制御する機能を有する通信ネットワーク要素を提供する。
【００４７】
前記記載は、３Ｇセルラテレコミュニケーションシステムにおける本発明の様々な実施形態を示したが、本発明はいわゆる３Ｇセルラシステムに制限されるものではなく、異なるタイプのセルラテレコミュニケーションシステムにおいて実施されることが可能であることに注意されたい。
【００４８】
また、上記は本発明の典型的な実施形態を記述したが、添付の特許請求の範囲において定義されるように本発明の範囲から逸脱することなく開示された解決手段に対してなされうる複数の変形及び修正が存在する。
【図面の簡単な説明】
【００４９】
【図１】図１は、従来技術に従った送信リソースアクセスグラントとＨＡＲＱプロセスとの間のタイミング関係を示す。
【図２】図２は、本発明に従った移動局及びネットワーク要素を示す。
【図３】図３は、ノードＢと移動局との間のシグナリングを示す。
【図４】図４は、シグナリング及びノードＢと移動局との間のプロセス制御を示す。
【図１】
2008535303.tif 000004
【図２】
2008535303.tif 000005
【図３】
2008535303.tif 000006
【図４】
2008535303.tif 000007
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
移動局からネットワークノードへのそれらの間の無線通信リンクを介したアップリンク送信を制御する方法であって、再送プロセスがアクティブにされるべきか、非アクティブにされるべきかを指示し、前記指示をネットワークノードから移動局へ送信リソース制御チャネルにおいて送信することを含む方法。
【請求項２】
前記送信リソース制御チャネルはエンハンスト絶対グラントチャネル（Ｅ−ＡＧＣＨチャネル）である請求項１に記載の方法。
【請求項３】
対応する再送プロセスは、その再送プロセスが非アクティブである場合、アクティブにされるべきであり、その再送プロセスがアクティブである場合、非アクティブにされるべきであることを、送信リソース制御チャネルにおいて送信されるビットが指示する請求項１に記載の方法。
【請求項４】
送信リソース制御チャネルにおいて送信されるビットは、送信リソース制御チャネルにおける他のビットの所定のグループが送信リソースグラントを示すか否か、または、送信リソース制御チャネルにおける他のビットの所定のグループが再送プロセスアクチベーションコマンドを搬送するか否か、を示す請求項１に記載の方法。
【請求項５】
送信リソース制御チャネルにおいて送信されるビットのグループは再送プロセスが状態を変更するべきであることを指示する請求項１に記載の方法。
【請求項６】
送信リソース制御チャネルにおいて送信されるビットのグループは、再送プロセス状態または特定の再送プロセスのための状態変化及び再送プロセス状態、または他の再送プロセスのための状態変化を指示する請求項１に記載の方法。
【請求項７】
前記指示する段階は、無線ネットワークノードにおいて実行される請求項１に記載の方法。
【請求項８】
無線通信ネットワークのための移動局であって、
送信リソース制御チャネルを受信するための受信器と、
送信リソース制御チャネルから再送プロセス制御情報を受信するための手段と、
制御情報を受信するための前記手段によって受信される再送プロセス制御情報への応答として再送プロセスをアクティブにし、また、非アクティブにするための制御装置と、を備える移動局。
【請求項９】
前記送信リソース制御チャネルは、エンハンスト絶対グラントチャネル（Ｅ−ＡＧＣＨチャネル）である請求項８に記載の移動局。
【請求項１０】
無線通信ネットワークのためのネットワークノードであって、
送信リソース制御チャネルを移動局に送信するための送信器と、
送信リソース制御チャネルにおいて送信されるデータフレームに再送プロセス制御情報を組み込ませるための手段と、を備えるネットワークノード。
【請求項１１】
前記送信リソース制御チャネルは、エンハンスト絶対グラントチャネル（Ｅ−ＡＧＣＨ）である請求項１０に記載のネットワークノード。
【請求項１２】
前記ネットワークノードは、ノードＢネットワークノードである請求項１０に記載のネットワークノード。
【請求項１３】
前記ネットワークノードは、基地局である請求項１０に記載のネットワークノード。
【請求項１４】
無線通信ネットワークのための移動局であって、
送信リソース制御チャネルを受信するための受信器と、
送信リソース制御チャネルから再送プロセス制御情報を受信するための再送プロセス制御情報受信器と、
制御情報を受信するための前記手段によって受信される再送プロセス制御情報への応答として再送プロセスをアクティブにし、また、非アクティブにするための制御装置と、を備える移動局。
【請求項１５】
前記送信リソース制御チャネルは、エンハンスト絶対グラントチャネル（Ｅ−ＡＧＣＨチャネル）である請求項１４に記載の移動局。
【請求項１６】
無線通信ネットワークのためのネットワークノードであって、
送信リソース制御チャネルを移動局に送信するための送信器と、
送信リソース制御チャネルにおいて送信されるデータフレームにおいて再送プロセス制御情報を組み込むためのプロセッサと、を備えるネットワークノード。
【請求項１７】
前記送信リソース制御チャネルは、エンハンスト絶対グラントチャネル（Ｅ−ＡＧＣＨチャネル）である請求項１６に記載のネットワークノード。
【請求項１８】
前記ネットワークノードは、ノードＢネットワークノードである請求項１６に記載のネットワークノード。
【請求項１９】
前記ネットワークノードは、基地局である請求項１６に記載のネットワークノード。
【手続補正２】
【補正対象書類名】明細書
【補正対象項目名】０００６
【補正方法】変更
【補正の内容】
【０００６】
通信システムは、システムの様々な要素がどのような動作を許可されているか及びそれがどのように達成されるべきかについて詳細に記述する所与の標準規格、あるいは仕様に従って、通常動作する。例えば、仕様規格は、ユーザ、あるいはより正確にはユーザ装置に、回線交換サービス、パケット交換サービスまたは両方のサービスが提供されるかを定義するかもしれない。通信プロトコル及び／または接続に使用されるパラメータもまた一般的に定義される。例えば、通信がユーザ装置と通信ネットワークの要素との間で実行されるものとする方法は通常は事前に定義された通信プロトコルに基づいている。言い換えれば、通信が基づく一連の特有な「規則」はユーザ装置が通信システムを介して通信することができるように定義される必要がある。
【手続補正３】
【補正対象書類名】明細書
【補正対象項目名】００３１
【補正方法】変更
【補正の内容】
【００３１】
ネットワークノード１００は、移動局へ送信リソース制御チャネルを送信するための送信器１１５と、送信リソース制御チャネルにおいて送信されるデータフレームに再送プロセス制御情報を組み込むための手段１２０とを備える。
【手続補正４】
【補正対象書類名】図面
【補正対象項目名】全図
【補正方法】変更
【補正の内容】
【図１】
2008535303.tif 000008
【図２】
2008535303.tif 000009
【図３】
2008535303.tif 000010
【図４】
2008535303.tif 000011
【国際調査報告】
2008535303.tif 000012
2008535303.tif 000013
2008535303.tif 000014